(57)【特許請求の範囲】
【請求項１】
順次入力される画像形成ジョブを実行して画像を形成する画像形成装置において、
入力された画像形成ジョブを記憶する記憶手段と、
前記記憶手段に記憶された画像形成ジョブの実行順序を決定する実行順序決定手段と、  前記実行順序決定手段で決定された実行順序に従い、前記記憶手段に記憶された画像形成ジョブを実行して画像形成媒体に画像形成を行う画像形成手段と、
前記画像形成手段により画像形成された画像形成媒体を、複数の排出先の中から何れかの排出先に排出する媒体排出手段とを備え、
前記実行順序決定手段は、片面若しくは両面の印刷面、モノクロ若しくはカラーの印刷色、及び後処理の有無若しくはその種別の何れかが現在実行中のジョブと同じジョブが、実行中ジョブと異なる他のジョブよりも優先して実行されるように、実行順序を決定することを特徴とする画像形成装置。
【請求項２】
前記記憶手段に記憶された画像形成ジョブについて、前記媒体排出手段による画像形成媒体の排出先に応じて定められるジョブの種別を判別する判別手段を備え、
前記媒体排出手段は、画像形成媒体の排出先を前記判別手段で判別されたジョブの種別に応じて切り換えて画像形成媒体を排出し、
前記実行順序決定手段は、前記判別手段による判別結果に基づき、前記媒体排出手段による排出先の切り換えに伴い生じる実行ジョブの切換時間の短いジョブが優先して実行されるように、実行順序を決定することを特徴とする請求項１に記載の画像形成装置。
【請求項３】
順次入力される画像形成ジョブの実行順序を決定し、決定した実行順序に従い画像形成ジョブを実行し、画像形成をした画像形成媒体を複数の排出先の中から何れかの排出先に排出する画像形成方法において、
片面若しくは両面の印刷面、モノクロ若しくはカラーの印刷色、及び後処理の有無若しくはその種別の何れかが現在実行中のジョブと同じジョブが、実行中ジョブと異なる他のジョブよりも優先して実行されるように、実行順序を入れ替える実行順序入替工程を備えることを特徴とする画像形成方法。
【発明の詳細な説明】
【技術分野】
【０００１】
本発明は、順次入力される画像形成ジョブを実行して画像を形成する画像形成装置及び画像形成方法に関する。
【背景技術】
【０００２】
プリンタに代表される画像形成装置においては、入力された複数のジョブを順次実行して出力する。この種の画像形成装置では、入力されるジョブ全体としての処理効率を高めることが望まれており、このような要望に応えるため、下記の特許文献１及び特許文献２に記載の技術が提案されている。
【０００３】
特許文献１に記載の画像形成システムは、画像形成本体で転写をした用紙を折り装置で折り畳み、フィニッシャで製本処理等の後処理を行う。画像形成本体は、用紙へのトナー定着性向上等のために用紙に応じて搬送速度を切り換えてジョブを実行し、画像形成の済んだ用紙をフィニッシャへ排出する。排出された用紙は、折り装置を介してフィニッシャに受け入れられ、後処理をされる。フィニッシャは、多数の画像形成本体から様々な搬送速度で排出される用紙を受け入れるために、用紙の排出速度に受入速度を合わせる変速動作を行う。画像形成本体では、フィニッシャでの変速動作完了後にジョブが実行されることから、フィニッシャの変速動作の待時間短縮のために、用紙排出速度の同じジョブが連続して実行されるように、ジョブを入れ替える。この入れ替えにより、システム全体としてのジョブ処理時間を短縮することができる。
【０００４】
また、特許文献２に記載のプリントシステムでは、印刷ジョブを受信したマルチファンクション周辺装置が、受信した順序でジョブをリストに登録し、リストへの登録順序でジョブを処理していく。ジョブは、複数のカセットの中の何れかから搬送した用紙に転写をし、定着させることにより実行される。マルチファンクション周辺装置は、ソートキーが操作されると、用紙サイズや用紙種類等の属性によりジョブをグルーピングし、同一の用紙カセットからの給紙により実行されるジョブが連続して処理されるように並べ替えを行う。この並べ替えにより、用紙の切り替わりによる使用カセットの変更頻度が低減される。
【０００５】
【特許文献１】特開２００７−０５０２６号公報
【特許文献２】特開２００６−２５６１３８号公報
【発明の開示】
【発明が解決しようとする課題】
【０００６】
一般的に、画像形成装置では、画像形成をした画像形成媒体に対するステイプル等の後処理の有無や種類等の後処理の種別に応じて、排出先の排出トレイが切り換えられて排紙が行われる。この排出先の切り換えには排出経路の切換等の機械的動作が伴い、切換動作が行われる間はジョブの実行が一時的に中断されることから、排出先の切り換えが頻繁に行われると、ジョブ全体としての処理効率が低下するおそれがある。このため、排出先の切換頻度を低減することが望まれている。
【０００７】
上記特許文献１に記載の画像形成システムにおいても、フィニッシャへの用紙の排出速度が同じジョブを連続して実行することにより、フィニッシャでの変速動作の頻度を低く抑えているにすぎなかった。また、特許文献２に記載の印刷処理装置においても、同一の用紙カセットからの給紙により実行される印刷ジョブを連続して処理することにより、使用カセットの変更頻度を低減しているにすぎなかった。
【０００８】
本発明は、上記した点に鑑み、画像形成媒体の排出先の切り換えに伴い生じるジョブ全体としての処理効率の低下を、十分に抑えることができる画像形成装置及び画像形成方法を提供することを目的とする。
【課題を解決するための手段】
【０００９】
このような目的を達成するために、本発明の画像形成装置は、順次入力される画像形成ジョブを実行して画像を形成する画像形成装置において、入力された画像形成ジョブを記憶する記憶手段と、前記記憶手段に記憶された画像形成ジョブの実行順序を決定する実行順序決定手段と、前記実行順序決定手段で決定された実行順序に従い、前記記憶手段に記憶された画像形成ジョブを実行して画像形成媒体に画像形成を行う画像形成手段と、前記画像形成手段により画像形成された画像形成媒体を、複数の排出先の中から何れかの排出先に排出する媒体排出手段とを備え、前記実行順序決定手段は、片面若しくは両面の印刷面、モノクロ若しくはカラーの印刷色、及び後処理の有無若しくはその種別の何れかが現在実行中のジョブと同じジョブが、実行中ジョブと異なる他のジョブよりも優先して実行されるように、実行順序を決定することを特徴とする。
また、本発明は、前記記憶手段に記憶された画像形成ジョブについて、前記媒体排出手段による画像形成媒体の排出先に応じて定められるジョブの種別を判別する判別手段を備え、前記媒体排出手段は、画像形成媒体の排出先を前記判別手段で判別されたジョブの種別に応じて切り換えて画像形成媒体を排出し、前記実行順序決定手段は、前記判別手段による判別結果に基づき、前記媒体排出手段による排出先の切り換えに伴い生じる実行ジョブの切換時間の短いジョブが優先して実行されるように、実行順序を決定することを特徴とする。
また、本発明の画像形成方法は、順次入力される画像形成ジョブの実行順序を決定し、決定した実行順序に従い画像形成ジョブを実行し、画像形成をした画像形成媒体を複数の排出先の中から何れかの排出先に排出する画像形成方法において、片面若しくは両面の印刷面、モノクロ若しくはカラーの印刷色、及び後処理の有無若しくはその種別の何れかが現在実行中のジョブと同じジョブが、実行中ジョブと異なる他のジョブよりも優先して実行されるように、実行順序を入れ替える実行順序入替工程を備えることを特徴とする。
【発明の効果】
【００１０】
本発明によれば、排出先の切り換えに伴い生じる実行ジョブの切換時間の短いジョブが優先して実行されるように、実行順序を決定することから、画像形成媒体の排出先の切り換えに伴い生じるジョブ全体としての処理効率の低下を、十分に抑えることができる。
【発明を実施するための最良の形態】
【００１１】
以下、図面を参照して、本発明の最良の形態を説明する。図１は、本実施形態に係る複合機１の概略構成図である。複合機１は、給紙トレイ２１に収納された用紙を給紙ローラ２２で一枚ずつ送り出す給紙部２と、給紙部２から送り出された用紙をレジストローラ２３で転写部３に送り出す用紙送出部と、レジストローラ２３により送り込まれた用紙にトナー像を形成する転写部３と、転写部３により形成されたトナー像を用紙に定着させる定着部４と、定着部４によりトナー像を定着した用紙を送込ローラ２４で後処理部７に送り込む送込部と、定着部４でトナー像を定着した用紙を反転させて再びレジストローラ２３に送り出す再給紙部と、を備えて構成されている。また、複合機１は、複写や印刷の設定情報等を入力するための操作・表示部５と、原稿読取面上の原稿の画像を読み取る読取部６と、送込部から送り込まれた用紙をそのまま又は後処理して排紙トレイ７２ａ，７２ｂに排紙する後処理部７と、上述した各部を制御してジョブを実行する制御部１１と、制御部１１による処理に用いる情報の記憶される記憶部１２と、を備えている。
【００１２】
給紙部２が備える各給紙トレイ２１には、複数のサイズの中の何れか１サイズの用紙が、縦向き又は横向きにそれぞれ積層されて収納される。給紙トレイ２１は、底板の給紙ローラ２２側の端部２１ａを昇降自在に構成されている。給紙部２は、給紙時には給紙トレイ２１に積層された最も上側の用紙が給紙ローラ２２による所定の送出位置に位置するまで、給紙トレイ２１の底板の端部２１ａを上昇させ、給紙後には元の位置にまで降下させる。また、給紙部２には、給紙トレイ２１に収納された用紙の残量を検知するための残量センサ（不図示）が、各給紙トレイ２１毎に備えられている。残量センサは、給紙トレイ２１の底板の端部２１ａの上昇量又は位置を検知する。給紙部２は、給紙トレイ２１に収納された用紙を給紙ローラ２２で１枚ずつ抜き出し、所定のタイミングでレジストローラ２３に送り出す。このタイミングは、レジストローラ２３に先に送り出した用紙が転写部３に送り込まれるタイミングに設定されているが、両面印刷時のように再給紙部からの給紙が行われるときには、その給紙タイミングとの同期が図られる。また、両面印刷から片面印刷への切換時のように、再給紙部からの給紙を終了する場合には、再給紙部からの給紙が完了するまで、給紙部２からの給紙が中断される。
【００１３】
転写部３は、静電潜像を形成される感光ベルト３１と、感光ベルト３１にトナー像を形成する現像ユニット３２と、感光ベルト３１上のトナー像を用紙に転写する転写ベルト３３及び転写ローラ３４と、を備えている。現像ユニット３２は、イエロー（Ｙ），マゼンダ（Ｍ），シアン（Ｃ），ブラック（Ｋ）の各トナー毎に設けられており、それぞれトナーを収容したトナーカートリッジを備えている。転写部３は、モノクロ印刷時にはブラックの現像ユニット３２の現像ローラのみを、カラー印刷時には全色の現像ユニット３２の現像ローラを、それぞれ感光ベルト３１に接触させている。モノクロ印刷とカラー印刷とでジョブが切り換えられる際には、イエロー，マゼンダ，シアンの現像ユニット３２の現像ローラを、感光ベルト３１と離接させる機械的動作が行われる。また、カラー印刷への切換時には、カートリッジ内のトナーの撹拌も行われる。転写部３は、感光ベルト３１上の静電潜像を現像ユニット３２で現像して転写ベルト３３に転写する動作を、モノクロ印刷時にはブラックの現像ユニット３２について、また、カラー印刷時には画像形成に用いる各現像ユニット３２毎に繰り返し行い、転写ベルト３３に形成されたトナー像を用紙に転写する。
【００１４】
定着部４は、ヒートローラ４１及びプレッシャローラ４２と、ヒートローラ４１を加熱する加熱器（不図示）とを備えており、加熱器で加熱したヒートローラ４１にプレッシャローラ４２を押し付けて両ローラで用紙を挟み込み、用紙に付着したトナーを加熱・圧縮することにより、用紙にトナー像を定着させる。
【００１５】
再給紙部は、用紙を一時的に中間トレイ２６に収納して反転させる反転ローラ２５と、反転ローラ２５で反転させた用紙をレジストローラ２３に送り出す再給紙ローラ２７と、定着部４から排出された用紙を反転ローラ２５又は送込ローラ２４に切り換えて送り出すフラッパ（不図示）とを備えている。再給紙部は、片面印刷時には送込ローラ２４に、両面印刷時には反転ローラ２５に、それぞれフラッパによる用紙の送出方向を切り換える機械的動作を行い、両面印刷時にはフラッパで送出された用紙を反転ローラ２５で中間トレイ２６に収納して反転させた後、再給紙ローラ２７でレジストローラ２３に送り出す。反転ローラ２５及び再給紙ローラ２７による用紙の搬送経路は、両面印刷用の搬送経路を構成している。
【００１６】
操作・表示部５は、複写や印刷の設定操作を行うための操作部と、設定項目や案内等の表示を行う表示部とを備えている。操作・表示部５の操作により決定される設定項目には、用紙のサイズや向き、モノクロ・カラーの別を表す印刷色、片面・両面の別を表す印刷面、部数、後処理の有無や種類を表す後処理等があり、決定された設定に応じたジョブが実行される。操作・表示部５は、操作部の操作で入力された設定情報を制御部１１に供給する。
【００１７】
読取部６は、読取対象の原稿サイズ及び向きをセンサ６１での検出結果に基づき特定すると共に、オートシートフィーダ６２により原稿読取面に搬送され、又は、原稿読取面に直接載置された原稿をスキャナ６３で走査して、原稿画像を読み取る。また、読取部６は、スキャナ６３で読み取った原稿画像の画像データ及びセンサ６１で検出した原稿サイズ及び向きの設定情報を制御部１１に供給する。
【００１８】
後処理部７は、集合整理，ステイプル等の後処理を用紙に施す処理部７１と、送込部から送り込まれた用紙を処理部７１へ又は排紙トレイ７２ａに切り換えて送り出すフラッパ（不図示）と、を備えている。排紙トレイ７２ａには、処理部７１により後処理されない用紙が、排紙トレイ７２ｂには後処理された用紙が、それぞれ排紙される。後処理部７は、送込部から送り込まれた用紙に後処理をするときには処理部７１へ、後処理をしないときにはそのまま排紙トレイ７２ａに、それぞれフラッパによる用紙の送出方向を切り換える機械的動作を行い、後処理時にはフラッパで送出された用紙に処理部７１で後処理をした後、排紙トレイ７２ｂに排紙する。
【００１９】
制御部１１は、例えば、中央演算処理装置（ＣＰＵ）を備えた電子回路から構成されている。制御部１１は、読取部６から又はケーブルを介してパソコン（不図示）から入力されたジョブデータを記憶部１２に記憶し、必要に応じて記憶部１２から読み出してジョブの実行に必要な情報を特定し、各部の動作を制御する。また、制御部１１は、ジョブデータを記憶部１２に記憶したジョブの実行順番を、ジョブデータの入力開始順序に従い定める。記憶部１２に記憶されたジョブは、実行順番の早い順に１つずつ実行されていき、何れかのジョブについて実行が開始されると、残りのジョブの実行順番が１つずつ繰り上がる。
【００２０】
また、制御部１１は、ジョブの実行前に後述する実行順序入替処理（図５，図６参照）を行う。実行順序入替処理において、制御部１１は、ジョブの実行を完了させるのに十分な量の用紙及びトナーがあるジョブを、十分な量の用紙又はトナーのないジョブよりも優先して実行する。ジョブの実行に用いる使用用紙量は、ジョブ設定情報に含まれる印刷頁数及び印刷面に基づき定められる。また、ジョブの実行に用いる使用トナー量は、画像データ、及び、設定情報に含まれる用紙サイズに基づき定められる。具体的には、各現像ユニット３２で感光ベルト３１にトナー像を形成するのに用いるのと同様の情報を、記憶部１２に記憶された画像データから各トナー種別毎に取得し、トナー像を構成するドット数に基づき、各トナー像の形成に用いられるトナー量を特定する。これをジョブの実行に用いる全ての画像データについて行い、使用トナー量を特定する。また、実行順序入替処理において、制御部１１は、トナーエンプティ信号の出力されているトナーを用いないジョブを、この種別のトナーを用いるジョブよりも優先して実行する。トナーエンプティ信号は、トナー量の初期値と使用トナー量の累計値とに基づき定められて後述のトナー残量情報（図４参照）として記憶されたトナー残量が、所定のトナーエンプティ値以下になるトナーエンプティ条件を満たすと出力される信号である。トナーエンプティ値は、転写部３が備えるブラック，シアン,マゼンダ,イエローの各トナー種別毎に定められており、トナー種別毎にトナーエンプティ信号が出力される。また、実行順序入替処理において、制御部１１は、ジョブの実行に用いる用紙搬送経路（片面又は両面の印刷面）、トナーの種別（モノクロ又はカラーの印刷色）、又は用紙排出先（後処理の有無又はその種別）が現在実行中のジョブと同じジョブを、実行中ジョブと異なる他のジョブよりも優先して実行する。
【００２１】
記憶部１２は、記憶装置（ＲＯＭ，ＲＡＭ）や大容量記憶装置（ハードディスク）等を備え、制御部１１にジョブを実行させる複合機用アプリケーションプログラムを格納している。記憶部１２には、制御部１１が定めたジョブの実行順番を表す実行順番情報や、「実行中」，「待機中」，「保留中」等のジョブの置かれている状況を表すジョブ状況情報の他、後述するジョブ設定情報（図２参照），用紙残量情報（図３参照），トナー残量情報（図４参照）が記憶される。また、記憶部１２には、後述する実行順序入替処理（図５，図６参照）で、実行中ジョブと用紙搬送経路が同じ待機中ジョブに付与する搬送路同情報、トナー種別が同じ待機中ジョブに付与するトナー同情報、用紙排出経路が同じ待機中ジョブに付与する排出路同情報、用紙搬送経路、排出経路、及びトナー種別の比較が済んだ待機中ジョブに付与する判別済情報が記憶される。
【００２２】
図２は、記憶部１２に記憶されるジョブ設定情報の一例を概念的に示す図である。
ジョブ設定情報は、操作・表示部５や読取部６やパソコン（不図示）から入力された設定情報から構成されており、画像形成に用いる画像データと共にジョブデータを構成している。同図に示すように、ジョブ設定情報は、ジョブ名，ジョブ実行に用いる用紙サイズ・向きの用紙の属性，印刷頁数，印刷色，印刷面，印刷部数、後処理等の情報から構成されている。同図に示す例では、ジョブＡについて、用紙サイズ「Ａ４」，用紙向き「縦」，頁数「１０」，印刷色「モノクロ」，印刷面「片面」，部数「１」，後処理「有」を表す情報が、ジョブ設定情報として記憶されている。記憶部１２にジョブデータの記憶されている他のジョブ（同図に示す例ではジョブＢ〜ジョブＥ）についても、ジョブＡと同様にジョブ設定情報が記憶されている。ジョブの実行時には、このジョブ設定情報が参照され、「用紙サイズ」及び「用紙向き」の用紙の属性に基づき定められる給紙トレイ２１から、「頁数」及び「印刷面」に基づき特定される枚数の用紙が転写部３に順次供給され、「印刷面」に示される用紙面に、それぞれ「印刷色」に基づき定められるトナーを用いて印刷が行われ、「後処理」を必要とするものは後処理後に、不要なものはそのまま排紙トレイ７２ａ，７２ｂに排出される。また、後述する実行順序入替処理（図５，図６参照）では、実行中ジョブと比較ジョブとで「モノクロ」・「カラー」の印刷色の情報が同じであるか、「片面」・「両面」の印刷面の情報が同じであるか、また、後処理「有」・後処理「無」の後処理の情報が同じであるかが判別される。
【００２３】
図３は、記憶部１２に記憶される用紙残量情報の一例を概念的に示す図である。
用紙残量情報は、給紙部２が備える各給紙トレイ２１毎に、トレイ種別と用紙残量とを対応づけて記憶した情報である。用紙残量は、給紙トレイ２１に現在収納されている用紙枚数を表す情報である。同図に示す例では、サイズＡ４の用紙を縦向きに収納する「トレイ１」について、用紙の残量が「ａ１」枚であることを表す情報が記憶されている。給紙部２が備える「トレイ２」〜「トレイ５」の各トレイについても、「トレイ１」と同様に用紙残量が「ａ２」枚〜「ａ５」枚であることを表す用紙残量情報が記憶されている。
【００２４】
用紙残量は、上述した給紙部２が備える残量センサでの検出値に基づき、記憶部１２に記憶された用紙残量特定情報を参照して特定される。用紙残量特定情報は、残量センサでの検出値と、用紙の残量枚数とを対応付けて記憶した情報であり、用紙残量特定情報において残量センサでの検出値に対応付けられた残量枚数が、用紙残量枚数として特定される。各給紙トレイ２１についての用紙残量は、ジョブの実行や用紙補給等に伴い収納した用紙枚数が変動するのに応じて変化する。後述する実行順序入替処理（図５，図６参照）では、ジョブ設定情報に定められる条件を満たした給紙トレイ２１について、用紙残量情報が参照され、ジョブの実行を完了させるのに十分な枚数の用紙があるかが判別される。
【００２５】
図４は、記憶部１２に記憶されるトナー残量情報の一例を概念的に示す図である。
トナー残量情報は、転写部３が備えるブラック，シアン,マゼンダ,イエローの各トナーを収容するトナーカートリッジ毎に、トナー種別とトナー残量とを対応づけて記憶した情報である。トナー残量は、各トナーカートリッジに現在収納されているトナーの残量を表す情報であり、本実施形態では、トナーの残量重量を表す情報が記憶されている。同図に示す例では、「ブラック」のトナーカートリッジについて、トナーの残量が「ｂ１」であることを表す情報が記憶されている。また、「シアン」，「マゼンダ」，「イエロー」の各トナーカートリッジについても、「ブラック」のトナーカートリッジと同様に、トナー残量が「ｂ２」〜「ｂ４」であることを表す情報が記憶されている。
【００２６】
トナー残量は、記憶部１２に記憶された各トナーカートリッジに収納されるトナー量の初期値と、初期値の記憶後に実行された各ジョブでの上述した使用トナー量の累計値とに基づき定められる。つまり、トナー量の初期値から使用トナー量の累計値を減算したものが、トナー残量として特定される。各トナーカートリッジについてのトナー残量は、ジョブの実行やカートリッジの交換等に伴いトナーカートリッジに収納されたトナー残量が変動するのに応じて変化する。後述する実行順序入替処理（図５，図６参照）では、ジョブ設定情報に定められる印刷色に対応する種別のトナーカートリッジについて、トナー残量がジョブの実行を完了させるのに十分な量を満たしているかが判別される。
【００２７】
次に、ジョブデータを入力された複合機１が、ジョブを実行する際の動作を説明する。
原稿を読み取った読取部６又はパソコン（不図示）からジョブデータが入力されると、制御部１１は、入力されたジョブデータを記憶部１２に記憶する。制御部１１は、ジョブデータを記憶部１２に記憶するジョブについて、ジョブデータの入力開始順序に従いジョブ実行順番を定めると共に、「待機中」のジョブ状況情報を付与する。ジョブデータが新たに入力され、若しくは、「保留中」のジョブについて保留が解除されて「待機中」ジョブが生じると、又は、「実行中」ジョブが新たに生じたときに「待機中」ジョブが存在すると、実行順序入替処理が実行される。なお、「保留中」は、ジョブの実行に用いる用紙若しくはトナーの残量が、ジョブの実行を完了させるのに十分な量に満たなくて、又は、ジョブの実行に用いるトナーの何れかについてトナーエンプティ信号が出力されていて、ジョブの実行が保留された場合に付与される。
【００２８】
図５及び図６は、制御部１１により実行される実行順序入替処理の概略を示すフローチャートである。
この実行順序入替処理では、制御部１１は、実行順番の最も早いジョブ、つまり、実行順番１のジョブについてジョブ設定情報を取得し（ステップ（以下，Ｓ）１，図５参照）、取得したジョブ設定情報に基づき各部の制御に用いる情報を特定する。例えば、ジョブ設定情報に定められた用紙サイズ，用紙向きに基づき給紙に用いる給紙トレイ２１の種別を決定し、印刷色に基づき転写部３での転写に用いるトナーの種別を決定し、印刷面に基づき用紙の搬送経路（片面印刷用の経路のみか、両面印刷用も含むか）を決定する。
【００２９】
次に、制御部１１は、ジョブ設定情報を取得したジョブについて、ジョブの実行が保留されているか否かを判別する（Ｓ２）。この判別が“ＮＯ”だと、制御部１１は、ジョブの実行に用いる給紙トレイ２１について、記憶部１２に記憶された用紙残量情報（図３参照）を参照して、ジョブの実行に用いる使用用紙量と給紙トレイ２１の用紙残量とを比較し（Ｓ３）、ジョブの実行を完了させるのに十分な量の用紙があるか否かを判別する（Ｓ４）。
【００３０】
給紙トレイ２１に十分な量の用紙がありＳ４の判別が“ＹＥＳ”の場合、制御部１１は、ジョブの実行に用いるトナーの現像ユニット３２について、トナーエンプティ信号が出力されていないか否かを判別する（Ｓ５）。トナーエンプティ信号の出力がなくてＳ５の判別が“ＹＥＳ”の場合、制御部１１は、記憶部１２に記憶したトナー残量情報を取得して、ジョブの実行に用いる使用トナー量とカートリッジのトナー残量とを比較し（Ｓ６）、ジョブの実行を完了させるのに十分な量のトナーがあるか否かを判別する（Ｓ７）。用紙及びトナーの何れかがジョブの実行を完了させるのに十分な量を満たさず、又は、何れかのトナーについてトナーエンプティ信号が出力されていて、Ｓ４，Ｓ５，又はＳ７の判別が“ＮＯ”である場合には、制御部１１は、そのジョブのジョブ状況情報を「待機中」から「保留中」に変更して、ジョブの実行を保留する（Ｓ８）。この保留は、不足していた用紙やトナーが補給されたと判別されると別途実行される上記Ｓ３〜Ｓ７と同様の処理で、ジョブの実行を完了させるのに十分な量を満たし、又は、トナーエンプティ信号が出力されていないと判別されると解除される。
【００３１】
ジョブの実行が保留されていてＳ２の判別が“ＮＯ”であり、又は、Ｓ８でジョブの実行が保留されると、制御部１１は、次の実行順番のジョブがあるか否かを判別する（Ｓ９）。この判別が“ＹＥＳ”だと、制御部１１は、次の実行順番のジョブのジョブ設定情報を取得して（Ｓ１０）、Ｓ２〜Ｓ９までの上述の処理を繰り返す。これにより、ジョブの実行を完了させるのに十分な量の用紙若しくはトナーがなく、又は、ジョブ実行に用いるトナーについてトナーエンプティ信号が出力されているジョブについては、その補給が行われるまでジョブの実行が保留され、十分な量の用紙及びトナーのある他のジョブが優先して実行されることとなる。
【００３２】
用紙及びトナーの何れもジョブの実行を完了させるのに十分な量を満たしており、更に、ジョブの実行に用いる全てのトナーについてトナーエンプティ信号が出力されておらずにＳ７の判別が“ＹＥＳ”の場合、制御部１１は、現在実行中のジョブがあるか否かを判別する（Ｓ１１）。この判別が“ＹＥＳ”の場合、制御部１１は、取得したジョブ設定情報に基づき決定された用紙の搬送経路を比較する。つまり、取得したジョブ設定情報に定められた印刷面と、実行中ジョブについての印刷面とを比較する（Ｓ１２，図６参照）。そして、比較ジョブ実行の際に、用紙の搬送経路を切り換えずに済むか否か、つまり、両ジョブの印刷面が同じであるか否かを判別する（Ｓ１３）。この判別は、例えば、実行中ジョブの印刷面が「両面」で片面印刷用の他に両面印刷用の搬送経路も用いる場合には、比較ジョブの印刷面も「両面」であると“ＹＥＳ”となるのに対し、片面印刷用の搬送経路のみ用いられる「片面」であると“ＮＯ”となる。
【００３３】
Ｓ１３の判別が“ＹＥＳ”の場合、制御部１１は、用紙搬送経路が同じであることを表す「搬送路同情報」を比較ジョブに付与する（Ｓ１４）。Ｓ１３の判別が“ＮＯ”の場合、又は、Ｓ１４の処理の後、制御部１１は、取得したジョブ設定情報に基づき決定されたトナー種別と、実行中ジョブで用いられるトナー種別とを比較する。つまり、取得したジョブ設定情報に定められた印刷色と、実行中ジョブについての印刷色とを比較する（Ｓ１５）。そして、比較ジョブの実行の際に、使用トナー種別を切り換えずに済むか否か、つまり、両ジョブの印刷色が同じであるか否かを判別する（Ｓ１６）。この判別は、例えば、実行中ジョブの印刷色が「モノクロ」でブラックのトナーのみが用いられる場合には、比較ジョブの印刷色が「モノクロ」であると“ＹＥＳ”となるのに対し、ブラックの他にシアン，マゼンダ，イエローのトナーも用いられる「カラー」であると“ＮＯ”となる。
【００３４】
Ｓ１６の判別が“ＹＥＳ”の場合、制御部１１は、トナー種別が同じであることを表す「トナー同情報」を比較ジョブに付与する（Ｓ１７）。Ｓ１６の判別が“ＮＯ”の場合、又は、Ｓ１７の処理の後、制御部１１は、取得したジョブ設定情報に基づき決定された用紙排出経路（用紙排出先）と、実行中ジョブでの用紙排出経路とを比較する。つまり、取得したジョブ設定情報に定められた後処理の種別と、実行中ジョブについての後処理の種別とを比較する（Ｓ１８）。そして、比較ジョブの実行の際に、用紙排出経路を切り換えずに済むか否か、つまり、両ジョブの後処理で用いられる用紙排出経路が同じであるか否かを判別する（Ｓ１９）。この判別は、例えば、実行中ジョブの後処理の種別が後処理「有」で送込ローラ２４から排出された用紙が処理部７１を介して排紙トレイ７２ｂに排紙される場合には、比較ジョブの後処理の種別が後処理「有」であると“ＹＥＳ”となるのに対し、処理部７１を介さずに直接排紙トレイ７２ａに排紙される後処理「無」であると“ＮＯ”となる。
【００３５】
Ｓ１９の判別が“ＹＥＳ”の場合、制御部１１は、用紙排出経路が同じであることを表す「排出路同情報」を付与する（Ｓ２０）。Ｓ１９の判別が“ＮＯ”の場合、又は、Ｓ２０の処理の後、制御部１１は、実行中ジョブと比較ジョブとで用紙搬送経路、用紙排出経路、又はトナー種別が同じであるか、つまり、搬送路同情報、排出路同情報、又はトナー同情報が、比較ジョブに付与されているか否かを判別する（Ｓ２１）。実行中ジョブと比較ジョブとで用紙搬送経路，用紙排出経路，及びトナー種別が異なってＳ２１の判別が“ＮＯ”の場合、制御部１１は、Ｓ２１までの処理が既に行われたことを示す「判別済情報」を比較ジョブに付与する（Ｓ２２）。ジョブ設定情報を取得したジョブについて、一度Ｓ２１までの処理が行われて「判別済情報」が付与されている場合には、用紙搬送経路、トナー種別、用紙排出経路に関するＳ１３，Ｓ１６，及びＳ１９の判別を行わず、Ｓ７の判別が“ＹＥＳ”であることを条件に、実行中ジョブの処理終了後に比較ジョブがそのまま実行される。「判別済情報」は、何れかのジョブについてＳ２４の処理が行われ、次に実行するジョブが決定されると削除される。また、「搬送路同情報」，「トナー同情報」，及び「排出路同情報」は、比較ジョブについてＳ２１の判別が“ＹＥＳ”となり、Ｓ２４の処理が行われると削除される。
【００３６】
Ｓ２２の処理の後、制御部１１は、次の実行順番のジョブがあるか否かを判別する（Ｓ２３）。この判別が“ＹＥＳ”だと、制御部１１は、処理をＳ１０に移して次の実行順番のジョブのジョブ設定情報を取得し、以降上述の処理を繰り返す。一方、判別が“ＮＯ”だと、制御部１１は、処理をＳ１に移し、実行順番１のジョブから順に、上述の処理を繰り返す。これにより、ジョブの実行に用いられる用紙搬送経路，用紙排出経路，又はトナーの種別が、実行中ジョブと同じジョブが見つかるまで、上述の処理が繰り返され、記憶部１２に記憶された全てのジョブについてＳ１３，Ｓ１６，及びＳ１９の判別が行われて「処理済」情報の付加が行われると、実行順番の最も早い「待機中」のジョブが実行されることとなる。
【００３７】
ジョブの実行完了に十分な用紙及びトナーがあり、また、ジョブの実行に用いるトナーの中にトナーエンプティ信号の出力されているものがない場合に、実行中のジョブがなくてＳ１１の判別が“ＮＯ”となると、実行中ジョブと比較ジョブとで用紙搬送経路，用紙排出経路，又はトナー種別が同じでＳ２１の判別が“ＹＥＳ”の場合、制御部１１は、実行中ジョブがあればその終了後に、なければ直ちに比較ジョブのジョブ状況情報を「待機中」から「実行中」に変更してジョブを実行する（Ｓ２４）。これにより記憶部１２に記憶されている他のジョブの実行順番が繰り上げられる。ジョブ設定情報を取得したジョブについて実行が保留され且つ次の実行順序のジョブがなくてＳ９の判別が“ＮＯ”の場合、又は、Ｓ２４の処理が行われると、実行順序入替処理は終了する。
【００３８】
このようにして実行される実行順序入替処理により、記憶部１２に記憶された各ジョブの実行順序の入れ替えの一例について説明する。図７及び図８は、実行順序入替処理（図５，図６参照）と記憶部１２に記憶されたジョブの取り扱いとの関係を説明する図である。
【００３９】
図７及び図８には、記憶部１２にジョブデータの記憶された各ジョブについて、実行順番と、ジョブ設定情報と、ジョブ状況情報と、処理に用いられる他の情報とが、それぞれ示されている。ジョブ設定情報としては、ジョブ名，ジョブ実行に用いる給紙トレイ種別，印刷色，印刷面，後処理の各情報が示されている。同図に示す例では、ジョブＡについて、トレイ種別「トレイ１」，印刷色「モノクロ」，印刷面「片面」，後処理「無」のジョブ設定情報が、また、「実行中」のジョブ状況情報が示されている。記憶部１２に記憶された他のジョブＢ〜ジョブＥについても、ジョブＡと同様に、実行順序入替処理に用いられる各情報が示されている。
【００４０】
図７（ａ）に示すように、実行順序入替処理（図５，図６参照）において、ジョブＡについてＳ２４の処理が行われてジョブの実行が開始され、ジョブ状況情報が「待機中」から「実行中」に変更されると、実行順序入替処理が再び開始され、実行順番１番のジョブＢから実行順番に従い上述した処理が行われる。例えば、トレイ１の用紙残量が１０枚のときにジョブＢの使用用紙量が２０枚で、用紙残量が使用用紙量に満たないと、実行順序入替処理のＳ４の判別が“ＮＯ”になってＳ８の処理が実行され、同図（ｂ）に示すようにジョブ状況情報が「待機中」から「保留中」に変更される。実行順番２のジョブＣがあることから、続くＳ９の判別は“ＹＥＳ”となり、Ｓ１０でジョブＣのジョブ設定情報が取得される。トレイ２の用紙残量がジョブＣの使用用紙量を満たすと処理がＳ５まで進められる。シアン，マゼンダ，イエロー，ブラックのカラー用トナーの何れについてもトナーエンプティ信号が出力されていないと、Ｓ６まで処理が進められる。シアン，マゼンダ，ブラックのトナー残量がそれぞれｂ１，ｂ２，ｂ４で、各トナーの使用トナー量がそれぞれこれらよりも少ないｃ１，ｃ２，ｃ４であるのに対し、イエローのトナー残量ｂ３が使用トナー量ｃ３に満たさないと、続くＳ７の判別が“ＮＯ”となってＳ８の処理が実行され、同図（ｃ）に示すようにジョブ状況情報が「待機中」から「保留中」に変更される。
【００４１】
その後にＳ１０の処理でジョブ設定情報を取得されたジョブＤについて、トレイ３の用紙残量が使用用紙量を，カラー用のトナー残量が使用トナー量をそれぞれ満たし、全てのカラー用トナーについてトナーエンプティ信号の出力がないと、処理がＳ１１まで進められる。同図（ｃ）に示すようにジョブＡが実行中であることから、Ｓ１２以降の処理が実行されるが、ジョブＡが「モノクロ」，「片面」，後処理「有」であるのに対し、ジョブＤが「カラー」，「両面」，後処理「無」であり、用紙搬送経路，用紙排出経路，トナー種別の何れも異なることから、Ｓ２１の判別が“ＮＯ”となり、続くＳ２２の処理で図８（ｄ）に示すように「判別済」情報が付与される。実行順番４番のジョブＥがあることから続くＳ２２の判別が“ＹＥＳ”となり、その後にＳ１０でジョブ設定情報が取得されたジョブＥについて、Ｓ３以降の処理が実行される。
【００４２】
トレイ４の用紙残量が使用用紙量を満たし、モノクロ用のブラックのトナーについてトナーエンプティ信号の出力がなく、かつ、トナー残量が使用トナー量を満たして、Ｓ１２以降の処理が実行されると、ジョブＥが「モノクロ」，「片面」，後処理「有」と用紙搬送経路，用紙排出経路，トナー種別の何れもジョブＡと同じであることから、同図（ｅ）に示すように、Ｓ１３，Ｓ１６，Ｓ１９の各処理で「搬送路同」，「排出路同」，「トナー同」の各情報が付与される。これにより、Ｓ２１の判別が“ＹＥＳ”となり、続くＳ２４でジョブを実行することが決定される。この結果、ジョブＡについて実行が終了すると、図（ｆ）に示すように、ジョブＥのジョブ状況情報が「待機中」から「実行中」に変更されて、ジョブＥが実行される。
【００４３】
次に、実行順序入替処理のＳ２４の処理が行われた結果、ジョブ状況情報を「実行中」に変更されたジョブを実行する動作について説明する。制御部１１は、ジョブの実行に用いるトナーの種別が、前回実行したジョブで用いた種別のトナーと異なる場合には、実行に用いる現像ユニット３２の切換動作を行う。この切換動作は、今回実行するジョブが「カラー」で前回実行したジョブが「モノクロ」である場合や、その逆の場合に、シアン，マゼンダ，イエローの現像ユニット３２の現像ローラを感光ベルト３１に接触させてトナーを撹拌し、又は、現像ローラを感光ベルト３１から離間させる動作であり、転写部３による機械的動作により行われる。この切換動作により、モノクロ印刷時とカラー印刷時とで転写に用いるトナーの種別が切り換えられる。
【００４４】
また、制御部１１は、ジョブの実行に用いる用紙搬送経路が、前回実行したジョブで用いた用紙搬送経路と異なる場合には、搬送経路の切換動作を行う。この切換動作は、今回実行するジョブが「片面」で前回実行したジョブが「両面」である場合や、その逆の場合に、送込ローラ２４で後処理部７に送り込む経路と、反転ローラ２５，再給紙ローラ２７で反転させて再びレジストローラ２３に送り込む両面搬送経路との間で、トナー像定着後に定着部４から送り出された用紙の搬送経路を切り換える動作であり、再給紙部による機械的動作により行われる。この切換動作により、両面印刷時と片面印刷時とで片面にトナー像を定着した用紙の搬送経路が切り換えられる。
【００４５】
また、制御部１１は、実行するジョブの記憶部１２に記憶された画像データに対して、ノイズ除去などの前処理を施した後、各種の設定に応じた画像処理を行い、処理したデータを頁単位で転写部３へ供給する。転写部３では、画像データに応じた静電潜像が感光ドラム３１の表面に形成され、形成された静電潜像がトナーで現像されて、転写ベルト３３に転写される。
【００４６】
また、制御部１１は、ジョブ設定情報に定める条件を満たした給紙トレイ２１から用紙を搬送し、印刷タイミングに同期させて転写部３内に送り出し、転写ベルト３３でトナー像を用紙に転写する。このとき、実行ジョブの切換により用紙の印刷面が「両面」から「片面」に移行したときには、先行ジョブで片面に画像形成された用紙がフラッパから再び転写部３へ送出されるまで、転写部３に対する用紙の送出が待機される。そして、トナー像を転写した用紙を定着部４で加熱・加圧して、トナー像を用紙に定着させる。
【００４７】
制御部１１は、ジョブ設定情報に定める印刷面が、「片面」である場合には、定着の済んだ用紙を送込ローラ２４を通して後処理部７に送り込む。一方、印刷面が「両面」である場合には、定着の済んだ用紙をフラッパにより用紙反転ローラ２５に送り出し、中間トレイ２６に収納した後に反転させて、再給紙ローラ２７で再びレジストローラ２３に送り出し、もう片面への印刷タイミングに同期させて転写部３に送り出す。このとき、印刷面が「両面」であるときには、フラッパから転写部３へ両面印刷用の搬送経路で用紙を搬送している間に、後続する用紙の片面にも転写部３での転写や定着部４での定着が行われる。転写部３に送られた用紙は、もう片面へもトナー像を転写され、転写されたトナー像を定着部４で用紙に定着された後、送込ローラ２４を通して後処理部７に送り込まれる。後処理部７に送り込まれた用紙は、後処理を施されて排紙トレイ７２ｂへ、又は、そのまま排紙トレイ７２ａへ排紙される。
【００４８】
本実施形態によれば、排紙トレイ７２ａ又は排紙トレイ７２ｂへの用紙排出先の切り換えに伴い生じる実行ジョブの切換時間の短いジョブが優先して実行されるように実行順序が決定されることから、用紙排出先の切換に伴い生じるジョブの実行の中断を避けることができる。この結果、用紙排出先の切換に伴い生じるジョブ全体としての処理効率の低下を、十分に抑えることができる。また、ジョブ全体としての処理効率の低下を抑えられることから、複合機１の稼動効率を上げて、消費電力を抑えることもできる。
【００４９】
上記実施形態では、レーザ複合機１に本発明を適用した場合について説明した。しかしながら、給紙トレイ等の媒体収納部から供給される画像形成媒体に画像形成を行うのであれば、インクジェット方式やドットインパクト方式や、熱転写方式等の他の画像形成装置にも、本発明は適用することができる。また、本発明はプリンタやコピー機等の複合機の他の画像形成装置にも適用することができる。
【００５０】
また、上記実施形態では、本発明を中間転写ベルト方式の転写部３を備える複合機１に適用した場合について説明したが、感光ドラム上のトナー像を転写ドラムに転写する動作を各トナー毎に繰り返し行い、転写ドラム上に形成したトナー像を用紙に転写する中間転写ドラム方式の転写部としてもよい。また、各現像ユニット３２が備える感光ドラムを用紙の搬送経路に沿って並べ、各感光ドラムから用紙に直接トナー像を形成するタンデム方式の転写部としてもよい。
【００５１】
また、画像形成に用いる画像形成材料の種類は、ブラック，シアン,マゼンダ,イエローの４種類に限らず、これらにライトシアン,ライトマゼンダ等を加えてもよい。この場合、ブラックのみを用いたモノクロ、これにシアン,マゼンダ,イエローを用いたカラー、更にライトシアン,ライトマゼンダを加えた種別の３種類のジョブ種別を設定してもよい。
【００５２】
上記実施形態では、搬送路同情報、排出路同情報、又はトナー同情報を付与されたジョブの何れか実行順番の早いジョブが先に実行された場合について説明した。しかしながら、これらの間に優先順位を設け、優先順位の高い情報を付与されたジョブを優先して実行してもよい。
【００５３】
また、上記実施形態では、用紙若しくはトナーの残量がジョブの実行完了に十分な量を満たさず、又は、使用トナーについてトナーエンプティ信号の出力のあるジョブの実行を、用紙やトナーが補給されるまで保留した場合について説明した。しかしながら、用紙及びトナーの残量がジョブの実行完了に十分な量を満たし、且つ、トナーエンプティ信号の出力のない待機中ジョブがない場合には、保留を行わずにそのままジョブを実行する構成としてもよい。また、複数の待機中ジョブがなくてジョブの実行順序を入れ替える必要がないときには、実行順序入替処理（図５，図６参照）を行わずに、そのまま待機中のジョブを実行する構成としてもよい。
【００５４】
また、上記実施形態では、画像形成媒体として紙を用いた場合について説明したが、ＯＨＰフィルム等の画像形成媒体に画像形成を行う画像形成装置にも本発明を適用することができる。また、画像形成媒体として用いる紙の種類は任意であり、通常のコピー用紙の他に、例えば、厚紙や葉書や封書やコート紙を用いることもできる。また、実行順序入替処理（図５，図６参照）において、Ｓ５及びＳ６の比較はジョブの印刷色が「カラー」である場合には、４色全てのトナーについて行ってもよく、また、実際に画像形成に用いるトナーについてのみ行ってもよい。
【００５５】
上記実施形態では、不足していた用紙やトナーが補給されると、実行順序入替処理とは別に実行される処理において保留を解除したが、実行順序入替処理で次に実行するジョブが決定されると、記憶部１２に記憶されている全てのジョブについてジョブ状況情報を「保留中」から「待機中」に変更し、用紙やトナーの補給時にジョブ実行状況を変更する処理を行わなくてもよい。また、用紙やトナーが供給されたと判別すると、実行順序入替処理を行ってもよい。また、実行順序入替処理（図５，図６参照）のＳ８で保留が決定されたジョブが生じた場合には、それを報知する処理を行ってもよい。
【００５６】
上記実施形態では、残量センサが、給紙トレイ２１の底板の端部２１ａの上昇量又は位置を検知した場合について説明した。しかしながら、残量センサは、底板の傾斜角度を検知してもよい。また、用紙の残量は、底板を昇降させるための駆動信号に基づき特定しても、また、給紙トレイ２１に積層された用紙束の厚さや重量に基づき特定してもよい。また、用紙やトナー残量の特定方法は、残量センサでの検出値と残量を対応付けて記憶した情報に基づく必要はなく、センサでの検出値に基づき演算を実行して特定してもよい。
【００５７】
上記実施形態では、画像形成に用いる画像データに基づき、トナーカートリッジに収容されたトナーの残量を検知した場合について説明した。しかしながら、トナーカートリッジに収容されたトナーの残量を検知するための残量センサを、各現像ユニット３２に設けてもよい。このような構成とする場合、残量センサは、トナーカートリッジを現像ユニット３２に支持する支持体の受ける荷重を検知しても、また、現像ユニット３２を支持する支持体の受ける荷重を検知してもよい。また、トナー残量は、残量センサでの検出値に基づき、記憶部１２に記憶されたトナー残量特定情報を参照して特定することができる。トナー残量特定情報は、残量センサでの検出値と、トナーの残量とを対応付けて記憶した情報であり、トナー残量特定情報において残量センサでの検出値に対応付けられた残量重量を、トナー残量として特定することができる。
【００５８】
上記実施形態の説明では、記憶部１２にジョブデータを記憶するジョブに対し、ジョブデータの入力開始順序に従いジョブ実行順番を定めた場合について説明した。しかしながら、このとき定められる実行順番は、ジョブの種別に応じて予め定められた優先順位や、操作・表示部５の操作で定められた優先順位に従わせて決定してもよく、更にこれらにジョブデータの入力開始順序をも加味して決定してもよい。
【００５９】
上記実施形態の説明では、ジョブの実行に用いる画像データに基づき使用トナー量を特定した場合について説明した。しかしながら、使用トナー量は、「モノクロ」印刷時と「カラー」印刷時とで予め定めた用紙１枚当りの使用トナー量の予想値と、ジョブ設定情報に含まれる用紙枚数とに基づき定めてもよい。なお、使用トナー量の予想値は、用紙サイズや片面・両面の印刷面毎に定めてもよい。また、ジョブの実行に用いるトナー量は、ジョブの実行に用いる画像データに基づき、また、これに用紙サイズや片面・両面の印刷面を加味して定めてもよい。
【００６０】
上記実施形態では、用紙の排出先が排紙トレイ７２ａ，７２ｂである場合について説明したが、排出先の数量は任意である。また、上記実施形態では、後処理の有無で用紙排出経路が異なったため、後処理の有無で実行順序を定めた場合について説明したが、後処理の種類によっても用紙排出経路が異なる場合には、その用紙排出経路の切り換えに伴い生じる実行ジョブの切換時間の短いジョブが優先して実行されるように、実行順序を定めてもよい。
【００６１】
上記実施形態では、ジョブ設定情報の印刷面が「両面」であるか「片面」であるかに応じて、片面印刷用の搬送経路を搬送した用紙を、両面印刷用の搬送経路に送り出すか否か、つまり、ジョブの実行に用いる用紙を片面印刷用の搬送経路のみ搬送するか、両面印刷用の搬送経路でも搬送するかを切り換える場合について説明した。しかしながら、画像形成面に応じて用紙の搬送経路の切り換えが生じ、この切り換えに伴い実行ジョブの切換時間が生じるのであれば、画像形成面は「両面」と「片面」との２面には限らず、切り換える搬送経路も片面印刷用と両面印刷用の２つには限らない。
【００６２】
また、上記実施形態では、「片面」又は「両面」の印刷面、及び、「カラー」又は「モノクロ」の印刷色、後処理「有」又は「無」の後処理が、ジョブ単位で定められている場合について説明したが、ジョブ単位で実行順序が決められるのであれば、これらが１つのジョブに混在する構成としてもよい。この場合、実行中ジョブの最後に処理される用紙や頁と、比較ジョブの最初に処理される用紙や頁とで、実行順序入替処理のＳ１１以降の処理での実行中ジョブと比較ジョブとの比較が行われる。また、上記実施形態では、用紙・トナーがジョブの実行完了に十分な量を満たすジョブを、十分な量を満たさないジョブよりも優先して実行した場合について説明したが、なるべく多くのジョブが実行されるように、各ジョブの使用用紙枚数や使用トナー量と、用紙やトナーの残量とに基づき、ジョブの実行順序を入れ替えてもよい。例えば、使用用紙枚数や使用トナー量の少ないジョブから優先してジョブを実行するようにしてもよい。
【００６３】
上記実施形態では、トナーエンプティ条件の成立を判別するトナー残量を、トナー量の初期値と使用トナー量の累計値とに基づき定めたトナー残量情報（図４参照）を用いて特定した場合について説明した。しかしながら、トナーエンプティ条件の判別に用いるトナー残量の特定方法は任意であり、トナー残量情報（図４参照）として記憶するトナー残量の特定方法等に応じて定めることができる。例えば、トナーカートリッジに設けられたフォトセンサ等の残量センサのセンサ情報に基づきトナー残量情報を定める場合にも、この方法で定められたトナー残量に基づき、トナーエンプティ条件の判別を行うことができる。
【００６４】
また、上記実施形態では、実行順序入替処理（図５，図６参照）において、ジョブの実行を完了させるのに十分な量の用紙及びトナーがあり、かつ、トナーエンプティ信号の出力がない場合に、Ｓ１８で実行中ジョブと用紙排出経路（用紙排出先）が同じであるかを判別するだけでなく、実行中ジョブとトナー種別・用紙搬送経路が同じであるかをも判別した場合について説明した。しかしながら、トナー種別及び用紙搬送経路の判別を行わずに、実行中ジョブと用紙排出経路が同じであるかの判別のみを行い、同じである場合には、そのジョブを優先的に実行するようにしてもよい。また、用紙量、トナーエンプティ信号、及びトナー量の判別も行わない構成としてもよい。これらの構成とする場合、複数の待機中ジョブがなくてジョブの実行順序を入れ替える必要がないときには、実行順序入替処理（図５，図６参照）を行わずに、そのまま待機中のジョブを実行する構成としてもよい。
【図面の簡単な説明】
【００６５】
【図１】本発明の一実施形態の複合機の概略構成図である。
【図２】複合機でのジョブの実行に用いられるジョブ設定情報の一例を概念的に示す図である。
【図３】複合機でのジョブの実行に用いられる用紙残量情報の一例を概念的に示す図である。
【図４】複合機でのジョブの実行に用いられるトナー残量情報の一例を概念的に示す図である。
【図５】複合機でのジョブの実行順序を入れ替える実行順序入替処理の概略を説明する第１の図である。
【図６】複合機でのジョブの実行順序を入れ替える実行順序入替処理の概略を説明する第２の図である。
【図７】実行順序入替処理とジョブの取り扱いとの関係を説明する第１の図である。
【図８】実行順序入替処理とジョブの取り扱いとの関係を説明する第２の図である。
【符号の説明】
【００６６】
１                複合機（画像形成装置）
１１              制御部（実行順序決定手段、画像形成手段、媒体排出手段、判別手段）
１２              記憶部（記憶手段）
２                給紙部
２１              給紙トレイ
２１ａ            端部
２２              給紙ローラ
２３              レジストローラ
２５              反転ローラ
２６              中間トレイ
２７              再給紙ローラ
３                転写部
３１              感光ベルト
３２              現像ユニット
３３              転写ベルト
３４              転写ローラ
４                定着部
４１              ヒートローラ
４２              プレッシャローラ
５                操作・表示部
６                読取部
７                後処理部（媒体排出手段）
７１              処理部
７２ａ，７２ｂ    排紙トレイ
【図１】
0005372362.tif 000002
【図２】
0005372362.tif 000003
【図３】
0005372362.tif 000004
【図４】
0005372362.tif 000005
【図５】
0005372362.tif 000006
【図６】
0005372362.tif 000007
【図７】
0005372362.tif 000008
【図８】
0005372362.tif 000009